(57)【特許請求の範囲】
【請求項１】
テニス等の球技用に使用するラケットフレームにおいて、打球部の縦ストリングス張設方向の縦幅（Ｗ１）を外側基準で３６０ｍｍ〜３７５ｍｍに設定し、横ストリングス張設方向の横幅（Ｗ２）を外側基準で２６０〜２７５ｍｍに設定した楕円形状であり、横ストリングス張設方向の圧縮剛性（以下、横剛性と略称する）に対する縦ストリングス張設方向の圧縮剛性（以下、縦剛性と略称する）との比を２．２〜３．０の範囲内に設定し、かつ縦剛性を９ｋｇｆ／ｍｍ〜１１ｋｇｆ／ｍｍに設定したことを特徴とするラケットフレーム。
【請求項２】
テニス等の球技用に使用するラケットフレームにおいて、フレーム先端部の断面形状が、正面幅方向（Ｌ１：打球面と平行な方向）における厚みに対する側面幅方向（Ｌ２）における厚みの比が、１．７〜２．２となる形状を有し、且つフレーム側面部の断面形状が、正面幅方向（Ｌ１）における厚みに対する側面幅方向（ＬＬ２）における厚みの比が、２．２〜３．２となる形状を有し、且つシャフト部の断面形状が、正面幅方向（Ｌ１）における厚みに対する側面幅方向（Ｌ２）における厚みの比が、１．３〜１．７の形状を有し、各々の部位間では徐々に形状比率が推移移行するような断面形状を呈し、横ストリングス張設方向の圧縮剛性（以下、横剛性と略称する）に対する縦ストリングス張設方向の圧縮剛性（以下、縦剛性と略称する）との比を２．２〜３．０の範囲内に設定し、かつ縦剛性を９ｋｇｆ／ｍｍ〜１１ｋｇｆ／ｍｍに設定したことを特徴とするラケットフレーム。
【発明の詳細な説明】
【０００１】
【発明の属する技術分野】
本願発明は、テニス等のプレーヤーがボールを打球した際に、ボールの進行方向に対する縦方向のスピン性能を著しく向上させるためのものである。
【０００２】
【従来の技術】
従来よりラケットフレームは、ストリングスを通じて打球するもので、様々な性能を持ち、その中でもボールの進行方向に対して縦方向のスピン性能は、ボールの弾道やスピード等コントロールの上で重要な要素となっている。そのため、ボールに対して縦方向のスピンを与えるには、ストリングスの径を細くしてボールによく食い込ませることにより、ボールとの摩擦を大きくすることにより、その分大きな回転をボールに与えることができるとされている。
【０００３】
その他の従来のラケットフレームとしては、実開平６−１５６６０号に開示されているように、ラケットフレームの打球面の中心を結ぶ中心線に対して相対向するフレームの一方を他方より厚く形成し、ラケットフレームの剛性を左右不均等にすることにより、ラケットフレームの撓みに時間差を生じさせることにより、ボールにスピンがかかるようにしてスピン性能を向上させると言ったラケットフレームも公知になている。
【０００４】
【発明が解決しようとする課題】
しかし、これら従来のものの内、ストリングスの径を細くした前者は、その分ストリングスの強度が低下するため、プレー中にストリングスが切れやすいと言った問題点を有していた。
【０００５】
又、一方後者のようにラケットフレームを左右非対称にしたものは、ボレー等を行った場合に生ずる打撃時に左右のバランスがとれていないため、ラケットが回転し易く安定感に欠けると言った欠点を有していた。更に、異形状のため、見た目に違和感を感じると言ったプレーヤーも存在し、一般的なラケットラケットフレームとは、言い難いものであった。そのため、一般的な形状を有し、且つスピン効果があるラケットフレームの供給が望まれていた。
【０００６】
【課題を解決するための手段】
本願発明は、上記目的を達成するために発明されたものである。即ち、ラケットフレームの縦方向のスピン性能を向上させると、ボールは鉛直下向きの力を受け、エンドラインを超えるような打球がコート内にはいる。又、地面と接触した際に、予測と異なるバウンドをするため、相手がボールを打ち返しにくくなる。そのために、本願発明は、ラケットフレームの縦方向と横方向の圧縮剛性を調節し、ラケットフレームの厚みを最適にすることにより、縦方向のスピン性能を向上させることを見いだした。即ち、ボールがストリングスに当たった場合、ラケットフレームはストリングスにより引張され変形するが、その際に、ラケットフレームの横剛性を縦剛性より小さくすることにより、従来のラケットフレームよりも打球時にフレーム側面部が打球面側に引き寄せられ、ストリングスがボールにより密着し、スピン性能が向上する。しかし、縦剛性と横剛性の比をあまりに大きくすると打球時の面安定性を阻害する恐れがある。又、縦剛性を大きくしすぎた場合、ラケットフレームのしなりが発生しないため本願発明の作用効果は得られない。更に、打球時に面安定性を損なわずにストリングスとボールの接触面積を増加させるために、シャフト部の側面幅（Ｌ２：打球面と直交する方向）をラケットフレーム部の側面幅（Ｌ２）の最大厚さに対して、５ｍｍ〜１０ｍｍ薄くすることによりスピン性能を向上させるものである。又、ラケットフレーム形状をやや縦長楕円形状にすることにより、本考案にしめす縦剛性と横剛性のフレームバネ比を維持する部分が長くなり、スピン性能を向上させうるエリアを拡大させることが可能になる。更に、ラケットフレーム側面部の断面形状の比率を変化させることにより、ラケットフレームの撓みを最適にし、スピン性能を向上させると共に、ラケットフレーム自体の空気抵抗値を低下し、降り抜き易いプレーし易いラケットフレームを提供することも可能となる。
【０００７】
【発明の実施の形態】
本願発明は、ラケットフレームの縦剛性と横剛性の比を設定して、打球時のボールの縦方向のスピン性能を向上させたものである。即ち、本願発明に係るスピン量とラケットフレームのフレームバネ比を導く数式の式１を示すと以下の用になる。
【０００８】
【式１】
ｙ＝−２９２．１１ｘ２＋１４７７．７ｘ−５９７．３６
ｘ：フレームバネ比（縦剛性／横剛性）
ｙ：スピン量（ｒ．ｐ．ｍ）
【０００９】
これら、上記の数式から導かれた上記縦剛性と横剛性の比であるフレームバネ比（縦剛性／横剛性）は、図５に示すように２．２〜３．０とするのが、スピン量（ｒ．ｐ．ｍ）を向上させる上で効果的である。かつ、縦剛性値は９ｋｇｆ／ｍｍ〜１１ｋｇｆ／ｍｍの間に設定するのが最もスピン量を向上する組み合わせとして望ましいものである。
【００１０】
更に、スピン量を向上させるために、ラケットフレームのシャフト部の側面幅（Ｌ２）をフレーム部より５ｍｍ〜１０ｍｍ細くすることが望ましい。特に、スピン性能をより向上させるために、ラケットフレームのシャフト部の側面幅（Ｌ２）をフレーム部より５ｍｍ〜７ｍｍ細くすることが望ましいものである。又、ラケットフレームの打球面形状をやや縦長楕円形状にすることが、スイートエリアの拡大効果とスピン量向上の点で望ましいものである。その他、ラケットフレームの断面形状の比率をフレーム先端部からフレーム側面部、ヨーク部へとかけて徐々に変化させることが、スピン量の向上と空気抵抗を減少させてラケットフレームを振り抜き易く出来る上で望ましいものである。
【００１１】
【実施例】
本願発明を実施例に基づいて図面を参照して説明すると、図１乃至図３に示すように、テニス等の球技用に使用するラケットフレーム１において、横剛性に対する縦剛性との比が、２．２〜３．０の範囲内に設定したことを特徴とするラケットフレーム１である。又、本願発明のラケットフレーム１においては、縦剛性を９ｋｇｆ／ｍｍ〜１１ｋｇｆ／ｍｍに設定することが最も好ましいものである。
【００１２】
その他、本願発明のラケットフレーム１においては、側面幅方向（Ｌ２）におけるシャフト部５の厚さを側面幅方向（Ｌ２）におけるフレーム部４の最大厚さより、５ｍｍ〜１０ｍｍ薄く設定することにより、打球時のラケットフレーム１の撓りとボールの変形との相関関係により、スピン量が増加し、プレーヤーに取って、自在に狙い目通りのボールを相手側コートに入れることが可能となるものであるが、更に、側面幅方向（Ｌ２）におけるシャフト部５の厚さを側面幅方向（Ｌ２）におけるフレーム部４の最大厚さより、５ｍｍ〜７ｍｍ薄く設定することにより、より好ましいスピン量の向上が可能となる。
【００１３】
又、図４に示すように本願発明のラケットフレーム１において、打球部２の縦ストリングス張設方向の縦幅（Ｗ１）が外側基準で３５０ｍｍ〜３８０ｍｍ、横ストリングス張設方向の横幅（Ｗ２）が外側基準で２５０〜２８０ｍｍの楕円形状を呈するように構成することによってもスピン量の向上が可能となるものである。特に、前記ラケットフレーム１において、打球部２の縦ストリングス張設方向の縦幅（Ｗ１）が外側基準で３６０ｍｍ〜３７５ｍｍに設定し、横ストリングス張設方向の横幅（Ｗ２）が外側基準で２６０〜２７５ｍｍに設定した楕円形状にすることで、ストリングス８の張力とラケットフレーム１の撓りが微妙にマッチして、スピン量をより向上できるものである。
【００１４】
更に、図３に示すように本願発明のラケットフレーム１においては、フレーム先端部３の断面形状が、正面幅方向（Ｌ１：打球面と平行な方向）における厚みに対する側面幅方向（Ｌ２）における厚みの比が、１．７〜２．２となる形状を有し、且つフレーム部４の断面形状が、正面幅方向（Ｌ１）における厚みに対する側面幅方向（Ｌ２）における厚みの比が、２．２〜３．２となる形状を有し、且つシャフト部５の断面形状が、正面幅方向（Ｌ１）における厚みに対する側面幅方向（Ｌ２）における厚みの比が、１．３〜１．７の形状を有し、各々の部位間では徐々に形状比率が推移移行するような断面形状を呈することを特徴とするラケットフレーム１である。
【００１５】
なお、本願発明のラケットフレーム１においては、ラケットフレームそのものをカーボン繊維、ガラス繊維、アラミド繊維、シリコンカーバイド繊維、その他の補強繊維等を使用したＦＲＰ製フレームとし、更にスピン性能を向上させるために、ラケットフレーム１のフレーム先端部３とヨーク部６に繊維配向角度が０度から３０度のカーボン繊維、ガラス繊維、アラミド繊維、シリコンカーバイド繊維、その他の補強繊維等を補強して、図４における縦方向Ｘの圧縮剛性と横方向Ｙの圧縮剛性の比を調整することが望ましい。その他、スチール、アルミニウム、チタニウムやアルミニウム合金やチタニウム合金等の金属素材を使用しても可能であるし、更にスピン性能を向上させるために、ラケットフレーム１のフレーム先端部３とヨーク部６に繊維配向角度が０度から３０度のカーボン繊維、ガラス繊維、アラミド繊維、シリコンカーバイド繊維、その他の補強繊維等を補強することも可能である。
【００１６】
次に、図２に示すその他実施例では、例えば打球面２のラケットフレームの正面幅（Ｌ１）を１７ｍｍに、シャフト部５のラケットフレーム１の側面幅（Ｌ２）を２３ｍｍにすることにより、従来のラケットフレームにはないスピン量の向上が可能となるものである。又、図６は打球時のストリングス８とボール９の接触の様子を模式的に表したものであるが、本願発明ではラケットフレーム１がより撓む（変位量：ｄが、従来のものより大きい）ことにより、ストリングス８とボール９の接触面積が増加するためスピン量が向上するものである。
【００１７】
なお、図５には、縦剛性と横剛性の比であるラケットフレームバネ比に関するグラフを開示しているが、このグラフは、縦方向のスピン量に与える影響を表したものである。このグラフより明らかなように、縦剛性と横剛性の比が２．２〜３．０の間では、スピン量は１２３０〜１２８０ｒ．ｐ．ｍと言った高い数値を示している。一方、この従来のラケットフレームにおけるフレームバネ比は、１．５〜２．０及び３．１〜３．３の間にあることが知られているが、これらのスピン量は９３０ｒ．ｐ．ｍ〜１２００ｒ．ｐ．ｍの低い数値を示しており、コントロール性が低いことを示している。
【００１８】
【発明の効果】
本願発明は、以上説明したような構成で実施され、以下に記載するような効果を奏するものである。即ち、縦剛性と横剛性の比であるフレームバネ比を２．２〜３．０にすることにより、ボールに効果的に縦方向のスピンを与えることができる。そして、縦剛性を９ｋｇｆ／ｍｍ〜１１ｋｇｆ／ｍｍにすることにより、強度と面安定性を最小限保ち、且つラケットフレームの撓みが、更にボールにより効果的に縦方向のスピンを与えることができる。
【００１９】
更に、ラケットフレームのシャフト部を薄くし柔らかくすることにより、シャフト部の撓り効果でボールに縦方向のスピンを与えることができると共に、ラケットフレームのフェース形状を縦長楕円形状にすることにより、スイートエリアが拡大し、縦方向のスピンのかかる領域を広く設定することが出来ると言った効果を奏するものである。
【００２０】
その他、本願発明のラケットフレームにおいては、フレーム断面形状をフレーム先端部、フレーム部の側面、シャフト部にかけて徐々に推移移行するように変化させることにより、縦剛性と横剛性のフレームバネ比を調整し、スピン量の向上により、従来のラケツトフレームよりも高いスピン量を与えることが出来る効果を奏するものである。
【図面の簡単な説明】
【図１】本願発明に係るラケットフレームを示す平面図。
【図２】本願発明に係るラケットフレームを示す側面図。
【図３】本願発明に係るラケットフレームの図１のａ−ａ部、ｂ−ｂ部、ｃ−ｃ部の断面を示す断面図。
【図４】本願発明による縦剛性と横剛性の圧縮方向を表した説明図。
【図５】本願発明に係るラケットフレーム及び従来のラケットフレームのラケットフレームバネ比とスピン量との関係を示すグラフ。
【図６】本願発明に係るラケットフレーム及び従来のラケットフレームの打球時のボールとストリングスとの接触状況を示す説明図。
【符号の説明】
１  ラケットフレーム
２  打球部
３  フレーム先端部
４  フレーム部
５  シャフト部
６  ヨーク部
７  グリップ部
８  ストリングス
９  ボール
Ｌ１正面幅方向
Ｌ２側面幅方向
Ｗ１縦幅
Ｗ２横幅
Ｘ  縦方向
Ｙ  横方向
ｄ  変位量
【図１】
0003588526.tif 000002
【図２】
0003588526.tif 000003
【図３】
0003588526.tif 000004
【図４】
0003588526.tif 000005
【図５】
0003588526.tif 000006
【図６】
0003588526.tif 000007